(57)【特許請求の範囲】
【請求項１】
動力源としてのエンジンと、このエンジンにより駆動されて発電機作用を行う発電電動機と、この発電電動機を電源として励磁／消磁されて吸着／釈放作用を行うマグネットと、上記発電電動機及びマグネット両者間の電力の授受を含む両者の制御を行う制御手段を具備し、上記制御手段は、上記発電電動機とマグネットとを結ぶ主回路に設けられ、主回路電圧の変動を減少させる大容量コンデンサを有し、上記マグネットの励磁時に上記発電電動機により発電された電力を上記大容量コンデンサ以外のマグネット電源としてのバッテリを介さず上記制御手段を介して上記マグネットに供給し、上記マグネットの消磁時に、上記マグネットに印加された電力を上記大容量コンデンサ以外のマグネット電源としてのバッテリを介さず上記制御手段を介して上記発電電動機に送り、回生電力として消費させるように構成したことを特徴とするマグネット作業機械。
【請求項２】
動力源としてのエンジンと、このエンジンにより駆動されて発電機作用を行う発電電動機と、この発電電動機を電源として励磁／消磁されて吸着／釈放作用を行うマグネットと、上記発電電動機及びマグネット両者間の電力の授受を含む両者の制御を行う制御手段と、上記発電電動機とマグネットを結ぶ主回路の電圧を検出する主回路電圧検出手段とを具備し、上記制御手段は、上記マグネットの消磁時に、上記マグネットに印加された電力を上記発電電動機に送り、回生電力として消費させるとともに、上記マグネット消磁時の主回路電圧の変化に応じて、この電圧変化を抑制する方向で上記発電電動機の電動機としてのトルクを制御するように構成したことを特徴とするマグネット作業機械。
【請求項３】
上記制御手段は、上記マグネット励磁時の主回路電圧の変化に応じて、この電圧変化を抑制する方向で上記発電電動機の発電機としてのトルクを制御するように構成したことを特徴とする請求項２記載のマグネット作業機械。
【請求項４】
上記主回路に主回路電圧の変動を減少させる大容量コンデンサを設けたことを特徴とする請求項２または３記載のマグネット作業機械。
【発明の詳細な説明】
【技術分野】
【０００１】
本発明は作業アタッチメントの先端にマグネット(電磁石。「リフティングマグネット
」または略して「リフマグ」と呼ばれる)を取付け、このマグネットを発電電動機からの電力によって励磁するマグネット作業機械に関するものである。
【背景技術】
【０００２】
マグネットで金属スクラップ等を吸着するマグネット作業機械(通称「リフマグ機」は、図６に示すように、下部走行体１と上部旋回体２とから成る自走式のベースマシン３にブーム４、アーム５を有する作業アタッチメントＡを装着した油圧ショベルを母体として、作業アタッチメントＡの先端(図示のようにアーム５の先端または図示しないバケット)にマグネット６を取付けて構成され、マグネット６に金属スクラップ等を吸着させて運搬する。
【０００３】
このマグネット作業機械として、エンジンと、このエンジンで駆動される発電電動機と、バッテリを備えたハイブリッド機をベースとして、バッテリを電源としてマグネットを作動させるものが公知である(特許文献１参照)。
【０００４】
この公知技術においては、発電電動機で発生した電力をバッテリに送って充電し、このバッテリに蓄えられた電力をマグネットに送って励磁する一方、消磁時、すなわち、マグネットに吸着した荷を釈放するためにバッテリからマグネットへの電力供給を遮断したとき)に、マグネット電力をバッテリに回収(回生)する構成がとられる。
【０００５】
このバッテリ駆動方式によると、マグネット吸着／釈放のための電力供給と回生をバッテリとマグネットの間のみで行うことができるため、マグネットと電源とを結ぶ主回路の電圧(主回路電圧)の大きな変動がないという利点を有する。
【先行技術文献】
【特許文献】
【０００６】
【特許文献１】特開２００５−１７７５号公報
【発明の概要】
【発明が解決しようとする課題】
【０００７】
ところが、上記公知技術によると、バッテリが必須となるため機器構成が複雑となり、設備のためのコストとスペースが大きくなるとともに、バッテリの充電率を吸着／釈放に適した値に保つための制御やバッテリ温度を一定とする制御が必要となって制御が複雑となる等、デメリットが大きかった。
【０００８】
そこで本発明は、バッテリを用いずにマグネットの吸着／釈放を可能として機器構成及び制御の簡素化を実現することができるマグネット作業機械を提供するものである。
【課題を解決するための手段】
【０００９】
上記課題を解決する手段として、本発明においては、動力源としてのエンジンと、このエンジンにより駆動されて発電機作用を行う発電電動機と、この発電電動機を電源として励磁／消磁されて吸着／釈放作用を行うマグネットと、上記発電電動機及びマグネット両者間の電力の授受を含む両者の制御を行う制御手段を具備し、上記制御手段は、上記発電電動機とマグネットとを結ぶ主回路に設けられ、主回路電圧の変動を減少させる大容量コンデンサを有し、上記マグネットの励磁時に上記発電電動機により発電された電力を上記大容量コンデンサ以外のマグネット電源としてのバッテリを介さず上記制御手段を介して上記マグネットに供給し、上記マグネットの消磁時に、上記マグネットに印加された電力を上記大容量コンデンサ以外のマグネット電源としてのバッテリを介さず上記制御手段を介して上記発電電動機に送り、回生電力として消費させるように構成したものである。
【００１０】
この構成によれば、発電電動機電力によってマグネットを励磁するため、マグネット電源としてのバッテリが不要となる。
【００１１】
従って、マグネット作業機械全体としての機器構成が簡単となるため、設備のためのコストとスペースを大幅に節減できるとともに、複雑なバッテリ制御が不要となることによって制御を簡素化することができる。
【００１２】
しかも、マグネット消磁時にマグネット電力を発電電動機に送って消費(回生)させるため、いかえれば、バッテリを省略しながら回生電力の受け皿を確保できるため、荷の釈放動作を確実かつ速やかに行わせることができる。
【００１３】
また、本発明においては、動力源としてのエンジンと、このエンジンにより駆動されて発電機作用を行う発電電動機と、この発電電動機を電源として励磁／消磁されて吸着／釈放作用を行うマグネットと、上記発電電動機及びマグネット両者間の電力の授受を含む両者の制御を行う制御手段と、上記発電電動機とマグネットを結ぶ主回路の電圧を検出する主回路電圧検出手段とを具備し、上記制御手段は、上記マグネットの消磁時に、上記マグネットに印加された電力を上記発電電動機に送り、回生電力として消費させるとともに、上記マグネット消磁時の主回路電圧の変化に応じて、この電圧変化を抑制する方向で上記発電電動機の電動機としてのトルクを制御するように構成したものである。
【００１４】
この構成によれば、発電電動機電力によってマグネットを励磁するため、マグネット電源としてのバッテリが不要となる。
【００１５】
従って、マグネット作業機械全体としての機器構成が簡単となるため、設備のためのコストとスペースを大幅に節減できるとともに、複雑なバッテリ制御が不要となることによって制御を簡素化することができる。
【００１６】
しかも、マグネット消磁時にマグネット電力を発電電動機に送って消費(回生)させるため、いかえれば、バッテリを省略しながら回生電力の受け皿を確保できるため、荷の釈放動作を確実かつ速やかに行わせることができる。
【００１７】
さらに、本発明では、上記発電電動機とマグネットを結ぶ主回路の電圧を検出する主回路電圧検出手段を備え、上記制御手段は、上記マグネット消磁時の主回路電圧の変化に応じて、この電圧変化を抑制する方向で上記発電電動機の電動機としてのトルクを制御する。
【００１８】
マグネット作業機械においては、吸着(励磁)／釈放(消磁)による電力変化に伴って主回路電圧が変化し易く、とくに、マグネット消磁時の電圧変化が大きくなる。
【００１９】
とりわけ、バッテリによる電圧変動抑制機能が働かない本発明の構成によると、機器に与える主回路電圧の変化の影響が大きくなり、過電圧による機器の故障発生等のおそれがある。
【００２０】
この点、上記の構成によると、消磁時に、主回路電圧の変化を抑制する方向でこの電圧変化に応じて電動機トルクを制御するため、過電圧による機器への悪影響を回避することができる。
【００２１】
この場合、上記制御手段は、上記マグネット励磁時の主回路電圧の変化に応じて、この電圧変化を抑制する方向で上記発電電動機の発電機としてのトルクを制御するように構成するのが望ましい(請求項３)。
【００２２】
この構成によれば、励磁時(吸着時)の主回路電圧の変化をも抑制することができる。
【００２３】
また、上記主回路に主回路電圧の変動を減少させる大容量コンデンサを設けるのが望ましい(請求項４)。
【００２４】
こうすれば、大容量コンデンサの平滑作用(電圧変動減少作用)によって主回路電圧の変化をさらに抑制することができる。
【発明の効果】
【００２５】
本発明によると、バッテリを用いずにマグネットの吸着／釈放を可能として機器構成及び制御の簡素化を実現することができる。
【図面の簡単な説明】
【００２６】
【図１】本発明の実施形態に係るマグネット作業機械のシステム構成図である。
【図２】図１中のインバータの内部構成を示す図である。
【図３】同実施形態における吸着スイッチのオン／オフ、マグネット電圧、主回路電圧、発電電動機動力の時間に対する変化状況を示すタイムチャートである。
【図４】図３中の消磁時における主回路電圧の変化状況を拡大して示す図である。
【図５】主回路電圧の変化に対する発電電動機トルクの制御状況を示す図である。
【図６】マグネット作業機械の全体概略側面図である。
【発明を実施するための形態】
【００２７】
本発明の実施形態を図１〜図５によって説明する。
【００２８】
図１は実施形態に係るマグネット作業機械のシステム構成図である。
【００２９】
図示のようにエンジン７によって発電電動機８が駆動され、吸着スイッチ９が吸着側に操作されたときに、実線の二重線矢印で示すように発電電動機８で発生した電力が制御手段としてのインバータ１０を介してマグネット６に供給される。これによりマグネット６が励磁され、荷(スクラップ等)の吸着作用が行われる。
【００３０】
一方、吸着スイッチ９が釈放側に操作されると、マグネット６への給電が遮断される。すなわち、マグネット６が消磁される。
【００３１】
実施形態においては、以下に詳述するように、この消磁時に、図１中破線の二重線矢印で示すようにマグネット電力を、励磁時とは逆にインバータ１０を介して発電電動機８に送って消費(回生)させる構成がとられている。
【００３２】
図２はインバータ１０の内部構成を示す。
【００３３】
インバータ１０は、スイッチング回路１１と、たとえばＨブリッジ回路から成る励磁／消磁切換回路１２と、この両回路１１,１２を制御する制御部１３と、両回路１１,１２を結ぶ正、負両電源母線１４,１５と、この両母線１４,１５間に設けられた大容量コンデンサ(平滑用コンデンサ)１６を具備する。
【００３４】
励磁／消磁切換回路１２は、吸着スイッチ９の操作(吸着側、釈放側両操作に基づいて)マグネット６の励磁／消磁を切換え、かつ、励磁時にマグネット６に印加する電圧を決定する。
【００３５】
スイッチング回路１１は、複数のトランジスタ等のスイッチング素子を組み合わせて成り、発電電動機８とマグネット６の間の電力の授受を制御する。
【００３６】
すなわち、励磁時に必要な発電電動機電力をマグネット６に供給し、消磁時にはマグネット電力を発電電動機８に回生電力として送って消費させる。
【００３７】
この消磁時に、制御部１３から発電電動機８に対する電動機トルクの指令値が出力され、この指令トルクに応じてスイッチング回路１１のスイッチング動作が行われる。
【００３８】
また、正、負両電源母線１４,１５間の電圧、すなわち主回路電圧を検出する電圧計１７が設けられ、検出された主回路電圧が制御部１３に送られる。
【００３９】
制御部１３は、吸着スイッチ９の消磁側（釈放側）操作による消磁時に、検出された主回路電圧に応じて発電電動機８の電動機トルクを決定し、決定した電動機トルクを発電電動機８に向けて指令する。
【００４０】
図３〜図５を併用して詳述する。
【００４１】
図３(ａ)の吸着スイッチ９の吸着／釈放操作に応じてマグネット６が励磁／消磁されて、図３(ｂ)のようにマグネット電圧が変化する。
【００４２】
図３(ｂ)中の「過励磁」は、吸着開始後、金属スクラップ等の荷を吸着するのに必要な吸着力が得られるように、マグネット６を定常電圧よりも高い電圧で一定時間磁化させることをいい、この過励磁後に定常励磁に移行する。
【００４３】
また、「逆励磁」は、消磁操作として、荷を釈放するために逆方向に電流を流して逆磁界を発生させることをいい、図３(ｃ)及び図４に示すようにこの逆励磁区間でマグネット６に印加された電力によって主回路電圧が変化する。
【００４４】
ここで、何の制御も加えない場合は、図４中に二点鎖線で示すように電圧変化ΔＶが大きくなって過電圧が発生し、機器の故障発生等のおそれがある。
【００４５】
そこで制御部１３は、消磁時に主回路電圧の変化を抑制する(主回路電圧を一定に保つ)ように、主回路電圧の変化ΔＶに応じて電動機トルクを決定し、これを発電電動機８に対するトルク指令として出力する。
【００４６】
具体的には、たとえば図５に示すように電圧変化ΔＶにほぼ比例して電動機トルクを一定のゲインで変化させる特性(電圧変化ΔＶを抑制し得る他の特性でもよい)をもって電動機トルクを決定し出力する。
【００４７】
これにより、発電電動機８が指令された電動機トルクで電動機作用を行ってマグネット６からの回生電力を消費するため、主回路電圧の変化ΔＶを最小限に抑えて主回路電圧をほぼ一定(目標値)に保つことができる。
【００４８】
また、制御部１３は、図３(ｄ)のように、励磁時(過励磁時)に過励磁区間での電圧変化をも抑制するように、たとえば電圧変化ΔＶに比例して発電機トルクを変化させる特性をもって発電電動機８の発電機トルクを決定し、発電電動機８に向けて指令するように構成されている。
【００４９】
なお、大容量コンデンサ１６は、基本的に主回路電圧の変動を減少させる平滑作用を行い、上記電動機トルクまたは発電機トルクの制御による電圧変動抑制作用を助ける機能を果たす。
【００５０】
このマグネット作業機械によると、上記のように発電電動機電力によってマグネット６を励磁するため、マグネット電源としてのバッテリが不要となる。
【００５１】
従って、マグネット作業機械全体としての機器構成が簡単となるため、設備のためのコストとスペースを大幅に節減できるとともに、複雑なバッテリ制御が不要となることによって制御を簡素化することができる。
【００５２】
しかも、マグネット消磁時にマグネット電力を発電電動機８に送って消費(回生)させるため、いかえれば、バッテリを省略しながら回生電力の受け皿を確保できるため、荷の釈放動作を確実かつ速やかに行わせることができる。
【００５３】
この場合、消磁時に、主回路電圧の変化ΔＶを抑制する方向でこの電圧変化に応じて電動機トルクを制御するため、過電圧による機器への悪影響を回避することができる。
【００５４】
また、励磁時にも、主回路電圧の変化ΔＶを抑制する方向で主回路電圧の変化に応じて発電機トルクを制御するため、消磁時と同様に電圧変化による機器への悪影響を回避することができる。
【００５５】
さらに、主回路(両電源母線１４,１５間)に大容量コンデンサ１６を設けているため、同コンデンサ１６の平滑作用によって主回路電圧の変化をさらに抑制することができる。
【符号の説明】
【００５６】
６  マグネット
７  エンジン
８  発電電動機
９  吸着スイッチ
１０  制御手段としてのインバータ
１１  インバータのスイッチング回路
１２  同、励磁／消磁切換回路
１３  同、制御部
１４,１５  同、正負両電源母線
１６  大容量コンデンサ
１７  主回路電圧検出手段としての電圧計
【図１】
0006563260.tif 000002
【図２】
0006563260.tif 000003
【図３】
0006563260.tif 000004
【図４】
0006563260.tif 000005
【図５】
0006563260.tif 000006
【図６】
0006563260.tif 000007